(57)【要約】【課題】精液の刺激及び収集のための装置の改良をもたらす。【解決手段】生物学的流体の収集。例示的な実施態様のうちの少なくとも一部は、重合体スリーブであって、重合体スリーブは、第１の端部と、第１の端部の反対側の第２の端部と、長手中心軸とを定める、細長い本体と、第１の端部から第２の端部まで延び、第１の端部にある第１の孔と、第２の端部にある第２の孔とを定め、且つ長手中心軸と平行に細長い通路を通じる主通路と、主通路と平行な第１の初期通路を定め、且つ第１の端部にある第１の孔の上に懸架される第１の部材と、第１の部材によって部分的に定められる第１の通気開口とを含み、第１の部材及び第１の端部は内部容積を定め、第１の通気開口は通路と別個であり、第１の通気開口は内部容積を大気圧に流体的に結合する。【選択図】図１
2014171910.tif 000002
【特許請求の範囲】
【請求項１】
重合体スリーブを含むシステムであって、
前記重合体スリーブは、
細長い本体を含み、該細長い本体は、第１の端部と、該第１の端部の反対側の第２の端部と、長手中心軸とを定め、
前記長手中心軸と平行に前記細長い通路を通じる主通路を含み、該主通路は、前記第１の端部から前記第２の端部まで延び、前記主通路は、前記第１の端部にある第１の孔と、前記第２の端部にある第２の孔とを定め、
前記第１の端部にある前記第１の孔の上に懸架される第１の部材を含み、該第１の部材は、前記主通路と平行な第１の初期通路を定め、前記第１の部材及び前記第１の端部は、内部容積を定め、
前記第１の部材によって部分的に定められる第１の通気開口を含み、該第１の通気開口は、前記通路と別個であり、前記第１の通気開口は、前記内部容積を大気圧に流体的に結合する、
システム。
【請求項２】
前記主通路は、前記細長い本体の前記長手中心軸と同軸である、請求項１に記載のシステム。
【請求項３】
前記第１の初期通路は、前記主通路と同軸である、請求項１に記載のシステム。
【請求項４】
前記重合体スリーブは、
前記第１の部材と前記内部容積内の前記第１の孔との間に懸架される第２の部材と、該第２の部材によって部分的に定められる第２の通気開口とを更に含み、
前記第２の部材は、前記主通路と平行な第２の初期通路を定め、前記第２の部材は、前記内部容積を前部容積と後部容積とに分岐させ、
前記第２の通気開口は、前記通路と別個であり、前記第２の通気開口は、前記後部容積を大気圧に流体的に結合する、
請求項１に記載のシステム。
【請求項５】
前記後部容積を前記前部容積に流体的に結合する前記第２の通気開口を更に含む、請求項４に記載のシステム。
【請求項６】
前記第２の初期通路が前記第１の初期通路と同軸であること、前記第２の初期通路が前記主通路と同軸であること、及び前記通路が同軸であることで構成される群から選択される少なくとも１つのことを更に含む、請求項４に記載のシステム。
【請求項７】
内部容積を定める剛性材料の外側カバーを更に含み、前記細長い本体は、前記外側カバー内に少なくとも部分的に配置される、請求項１に記載のシステム。
【請求項８】
内部容積を定める剛性材料の外側カバーと、
該外側カバーの前記内部容積内に少なくとも部分的に配置される重合体スリーブとを含み、該重合体スリーブは、
細長い本体を含み、該細長い本体は、第１の端部と、該第１の端部の反対側の第２の端部と、長手中心軸とを定め、
前記長手中心軸と平行に前記細長い通路を通じる主通路を含み、該主通路は、前記第１の端部から前記第２の端部まで延び、前記主通路は、前記第１の端部にある第１の孔と、前記第２の端部にある第２の孔とを定め、
前記第１の端部にある前記第１の孔の上に懸架される第１の部材を含み、該第１の部材は、前記主通路と平行な第１の初期通路を定め、前記第１の部材及び前記第１の端部は、内部容積を定め、
前記第１の部材によって部分的に定められる第１の通気開口を含み、該第１の通気開口は、前記通路と別個であり、前記第１の通気開口は、前記内部容積を大気圧に流体的に結合し、
前記第１の部材は、前記外側カバーの前記内部容積の外側に存する、
システム。
【請求項９】
前記主通路は、前記細長い本体の前記長手中心軸と同軸である、請求項８に記載のシステム。
【請求項１０】
前記第１の初期通路は、前記主通路と同軸である、請求項８に記載のシステム。
【請求項１１】
前記重合体スリーブは、
前記第１の部材と前記内部容積内の前記第１の孔との間に懸架される第２の部材と、該第２の部材によって部分的に定められる第２の通気開口とを更に含み、
前記第２の部材は、前記主通路と平行な第２の初期通路を定め、前記第２の部材は、前記内部容積を前部容積と後部容積とに分岐させ、
前記第２の通気開口は、前記通路と別個であり、前記第２の通気開口は、前記後部容積を大気圧に流体的に結合する、
請求項８に記載のシステム。
【請求項１２】
前記前部容積を前記後部容積に流体的に結合する前記第２の通気開口を更に含む、請求項１１に記載のシステム。
【請求項１３】
前記第２の初期通路が前記第１の初期通路と同軸であること、前記第２の初期通路が前記主通路と同軸であること、及び前記通路が同軸であることで構成される群から選択される少なくとも１つのことを更に含む、請求項１１に記載のシステム。
【請求項１４】
前記細長い本体の前記第２の端部は、前記外側カバーの前記内部容積内に存する、請求項８に記載のシステム。
【請求項１５】
前記第１の部材の上に入れ子状に嵌り且つ前記外側カバーに取り外し可能に結合するよう構成される第１のキャップ部材と、
該第１のキャップ部材の反対側で前記外側カバーに取り外し可能に結合するよう構成される第２のキャップ部材とを更に含む、
請求項８に記載のシステム。
【請求項１６】
重合体スリーブを作製する方法であって、
下方型構成部品を配置することを含み、該下方型構成部品は、前記重合体スリーブの挿入端の鋳型像を構造的に定め、
第１のディスク部材を整合関係に積み重ねることを含み、前記第１のディスク部材は、前記重合体スリーブの前記挿入端で大気に通気させられる前部容積の鋳型像を構造的に定め、
ロッド部材を前記ディスク部材に結合することを含み、前記ロッド部材の外表面は、前記重合体スリーブを通じる主通路の鋳型像を定め、
前記ロッド部材の周りに外側型組立体を閉じることを含み、該外側型組立体の内表面は、前記重合体スリーブの外表面の鋳型像を構造的に定め、
液体状態の重合体化合物を前記外側型組立体内に射出することを含む、
方法。
【請求項１７】
前記ロッド部材を結合すること、前記外側型組立体を閉じること、及び前記射出することの前に、第２のディスク部材を前記第１のディスク部材と整合関係に積み重ねることを更に含み、前記第２のディスク部材は、大気圧に通気させられる後部容積の鋳型像を構造的に定める、請求項１６に記載の方法
【請求項１８】
前記下方型構成部品を配置することは、前記重合体スリーブに結合される第１の組のスタンチョンの鋳型像を部分的に構造的に定める少なくとも２つの流路を含む前記下方型構成部品を配置することを更に含み、
前記第２のディスク部材を配置することは、前記重合体スリーブに結合される第２の組のスタンチョンの鋳型像を部分的に構造的に定める少なくとも２つの流路を含む前記第２のディスク部材を配置することを更に含む、
請求項１７に記載の方法。
【請求項１９】
前記下方型構成部品を配置することは、前記重合体スリーブに結合されるスタンチョンの鋳型像を構造的に定める少なくとも２つの流路を含む前記下方型構成部品を配置することを更に含む、請求項１６に記載の方法。
【請求項２０】
重合体スリーブを作り出すための型システムであって、
外表面と、型表面とを定める、下方型構成部品と、
該下方型構成部品の前記型表面に当接するよう構成される第１のディスク部材とを含み、
前記型表面は、２つの流路を定め、各流路は、前記下方型構成部品の内径から第１の中心領域まで延び、
前記第１のディスク部材は、２つの流路を定め、当接構成において、前記第１のディスク部材の前記流路は、前記下方型構成部品の前記流路と整列させられ、且つ前記中心領域から前記内径までの夫々の通路を定める、
型システム。
【請求項２１】
前記下方型構成部品の前記型表面によって定められる第１の機能と、
前記第１のディスク部材の当接表面によって定められる第２の機能とを更に含み、
前記第１のディスク部材が前記下方型構成部品と正しい当接関係にあるときに、前記第１の機能及び前記第２の機能は整列する、
請求項２０に記載の型システム。
【請求項２２】
前記型表面に対する前記第１のディスク部材の前記当接関係と反対に前記第１のディスク部材に当接するよう構成される第２のディスク部材を更に含み、
該第２のディスク部材は、２つの流路を定め、前記当接関係において、前記第２のディスク部材の前記２つの流路は、第２の中心領域から前記下方型組立体の内径に向かう夫々の通路を定める、
請求項２０に記載の型システム。
【請求項２３】
前記第２のディスク部材の前記２つの流路は、前記第２の中心領域から前記下方型組立体の内径までの夫々の通路を定める、請求項２２に記載の型システム。
【請求項２４】
前記第１のディスク部材の第２の表面によって定められる第３の機能と、
前記第２のディスク部材の当接表面によって定められる第４の機能とを更に含み、
前記第２の表面は、前記下方型組立体の前記型表面に当接する第１の表面に対向し、
前記第２のディスク部材が前記第１のディスク部材と正しい当接関係にあるとき、前記第３の機能及び前記第４の機能は整列する、
請求項２２に記載の型システム。
【請求項２５】
前記下方型組立体は、前記型表面に３つの流路を定め、該流路は、前記第１の中心領域から径方向に外向きに延び、
前記第１のディスク部材は、前記第２の中心領域から径方向に外向きに延びる３つの流路を定め、当接構成において、前記第１のディスク部材の前記流路は、前記下方型組立体の前記流路と整列させられ、且つ前記中心領域から前記内径までの夫々の通路を定める、
請求項２０に記載の型システム。
【請求項２６】
前記第１の中心領域に定められる第１の突起と、
前記第１のディスク部材によって定められる第２の突起とを更に含み、
前記第１の突起は、前記第１のディスク部材が当接関係にあるときに、前記第１のディスク部材に向かって延び、
前記第２の突起は、前記第１のディスク部材が前記下方型組立体と当接関係にあるときに、前記第１の突起に当接し且つ柱を作り出す、
請求項２０に記載の型システム。
【発明の詳細な説明】
【技術分野】
【０００１】
本発明は生物学的流体を収集するシステム及び方法に関する。
【背景技術】
【０００２】
近年、生物学的流体、特に精液の刺激及び収集のための装置において多くの進歩がある。例えば、ＦＬＡＳＨＬＩＧＨＴ（登録商標）ブランド製品は、射精を通じて精液の刺激及び収集を助ける装置である。多くのそのような製品は視覚的に擬態の生殖器であり、性交の感触を真似ることも試みる。
【０００３】
最近の研究は、人間の男性の前立腺健康状態を射精の頻度に関連付け得ることを発見した。具体的には、少ない頻度の射精は、鬱血性前立腺炎と呼ばれる前立腺の腫れを引き起こし得るし、人間の男性の癌のリスクも増大させ得る。一部の医療情報源は、１週間に３〜４回の射精頻度がよい前立腺の健康を保証し、且つ癌のリスクを減少させること示唆する。１つの研究は、毎月１３〜２０回射精を行う男性の生涯前立腺癌率が１４％より低く、毎月２１回以上射精する男性の生涯前立腺癌率が３３％以上より低いことを発見した。精液の刺激及び収集のための装置は、男性、特に未婚男性及び長期結婚男性の中で、より高い射精率を達成するのを助け得る。
【０００４】
射精の前立腺健康状態の他に、射精を通じた精液の刺激及び収集のための装置は、脱感作問題の性質を反対にすることも助け得る。即ち、手又は粗布を使用するペニスの反復的な自慰刺激は、特に潤滑剤がない場合には、ペニスの脱感作を引き起こし得る。その場合、脱感作は性交中の勃起障害を招き得る。精液の刺激及び収集のために特に設計された適切に潤滑させられた装置の使用は、脱感作問題の性質を反対にし、よって、脱感作の問題に関連する勃起障害の発生を減少させるのに役立ち得る。
【発明の概要】
【発明が解決しようとする課題】
【０００５】
前立腺健康状態の利益の観点から、精液の刺激及び収集のための装置における如何なる改良も有益である。
【課題を解決するための手段】
【０００６】
特定のシステム構成部品に言及するために、以下の記載及び請求項を通じて特定の用語が使用される。当業者が理解するように、異なる会社はある構成部品を異なる名称によって言及するかもしれない。この文献は、機能ではなく名称において異なる構成部品間を区別することを意図しない。
【０００７】
以下の議論及び請求項において、「含む」及び「包含する」という用語は開放端部式に使用され、よって、「非限定的に含む」と解釈されるべきである。また、「結合する」又は「結合させる」という用語は、間接的又は直接的な接続を意味することを意図する。よって、もし第１の装置が第２の装置に結合するならば、その接続は直接接続を通じて或いは関節接続を通じてであり得る。
【０００８】
「分岐」させるは、領域又は容積が分割されることを意味するが、分割される領域又は容積の相対的な大きさに言及しない。
【０００９】
「取り外し可能に結合」されるは、工具を使用せずに、第１の装置又は第２の装置のいずれかを切断せずに、並びに第１の装置又は第２の装置を完全に又は部分的に破壊せずに、第１の装置を第２の装置から機械的に分離し得るような方法において、第１の装置が第２の装置に結合することを意味する。
【００１０】
「型表面」は、露出表面がディスク部材に直接的に当接しようが空洞(cavity)又は流路(channel)を定めようが、下方型構成部品内のあらゆる露出表面領域を意味する（その下方型構成部品を工具又は工具類と呼び得る）。
【００１１】
「上の」、「上」、及び「下」は、ここに記載する様々の装置に関連する相対的な用語である。精液収集装置に関して、「上の」、「上」、及び「下」という用語は、観察するために挿入端が上向きに保持された状態の精液収集装置に関連する。型システムに関して、「上」及び「下」という用語は、重力に関して積み重ねられる型構成部品に関連する。
【００１２】
以下の議論は本発明の様々の実施態様に向けられている。これらの実施態様の１つ又はそれよりも多くが好適であり得るが、開示の実施態様は、請求項を含めて、開示の範囲を限定するものとして解釈されたり、その他の方法で使用されたりしてはならない。加えて、当業者は、以下の記載が広い適用を有し、任意の実施態様の議論がその実施態様の実施例であるに過ぎず、開示の範囲が請求項を含めてその実施態様に限定されることを暗示することを意図しないことを理解しよう。
【００１３】
様々の実施態様は、生物学的流体、特に精液の刺激及び収集のシステム及び関連方法に向けられている。様々の例示的なシステムは、人間の男性による使用のための装置の脈絡において開発され、よって、後続の記載は、その開発の脈絡に基づく。しかしながら、システム及び方法は、獣医学的使用（例えば、馬、犬）のような、他の用途を見出すかもしれず、従って、開発の脈絡は、装置の適用性の範囲についての限定として見られてはならない。
【００１４】
例示的な実施態様の詳細な記載のために、添付の図面を次に参照する。
【図面の簡単な説明】
【００１５】
【図１】少なくとも幾つかの実施態様に従ったシステムを示す斜視図である。
【図２】少なくとも幾つかの実施態様に従ったシステムを示す断面図である。
【図３】少なくとも幾つかの実施態様に従ったシステムを示す部分切欠き斜視図である。
【図４】少なくとも幾つかの実施態様に従ったシステムを示す断面図である。
【図５】少なくとも幾つかの実施態様に従った型組立体を示す斜視図である。
【図６】少なくとも幾つかの実施態様に従った下方型構成部品を示す斜視図である。
【図７】少なくとも幾つかの実施態様に従った第１のディスク部材の上方側を示す斜視図である。
【図８】少なくとも幾つかの実施態様に従った第１のディスク部材の下方側を示す斜視図である。
【図９】少なくとも幾つかの実施態様に従った第２ののディスク部材の上方側を示す斜視図である。
【図１０】少なくとも幾つかの実施態様に従った第２のディスク部材の下方側を示す斜視図である。
【図１１】少なくとも幾つかの実施態様に従った型システムを示す斜視図である。
【図１２】少なくとも幾つかの実施態様に従った型システムを示す断面図である。
【図１３】少なくとも幾つかの実施態様に従ったシステムを示す斜視図である。
【図１４】少なくとも幾つかの実施態様に従った方法を示す斜視図である。
【発明を実施するための形態】
【００１６】
図１は、少なくとも幾つかの実施態様に従ったシステム１００の斜視図を示している。具体的には、システム１００は、プラスチックのような剛性材料の外側カバー１０４の内部容積内に少なくとも部分的に配置される重合体スリーブ１０２を含む。図１を見ると、重合体スリーブ１０２の残余は外側カバー１０４内に存するので、重合体スリーブ１０２の挿入端１０６のみが見える。低デュロメータ定格の熱可塑性エラストマーゲル（ＴＰＥ）、又はシリコン、ポリ塩化ビニル（ＰＶＣ）、若しくはエラストマーゴムのような他の材料で、重合体スリーブ１０２を作製し得る。システム１００は、カバー又は蓋１０８を更に含み得る。不使用時に、蓋１０８を挿入端１０６の上に入れ子式に嵌め、外側カバー１０４に結合させ得るよう、蓋１０８は、重合体スリーブ１０２の挿入端１０６のＤ１の外径よりも僅かに大きい内径Ｄ２を定める。蓋１０８は、例えば、不使用時に、挿入端１０６を損傷から保護し得る。システム１００は、第２のキャップ又は蓋１１０を更に含み得る。蓋１１０は、蓋１０８の反対側で外側カバー１０４に結合する。一部の場合、蓋１１０は、外側カバー１０４の他の機能と共に、使用中に（以下に更に議論する）制御可能な通気機構として作用し得る。
【００１７】
図１の例示的なシステム１００の挿入端１０６は、主通路に通じる主孔１１２を含む（主通路は図１で見えないが、以下に更に議論する）。主孔１１２の上に懸架されているのは、初期通路１１６を定める第１のフランジ部材１１４である。例示的なシステム１００において、初期通路１１６は、主通路と同軸であり、初期通路１１６及び主通路の両方は、重合体スリーブ１０２の長手中心軸１１８と同軸である。しかしながら、他のシステムでは、初期通路１１６が主通路から偏り得るし、初期通路１１６及び主通路の一方又は両方が重合体スリーブ１０２の長手中心軸１１８から偏り（且つ／或いは非平行であり）得る。
【００１８】
依然として図１を参照すると、フランジ部材１１４は、例示のシステムでは、３つのスタンチョン部分１２０Ａ，１２０Ｂ，１２０Ｃによって支持されている。以下により徹底的に議論するように、（フランジ部材及びスタンチョン部分を含む）重合体スリーブ１０２全体を重合体材料の単一成形から作りだし得る。議論の容易性のために、フランジ部材１１４及びスタンチョン部分１２０を別々の名称で呼ぶが、別個に命名する因習は別個の名称の構成部品が実際には単一の連続的な片の重合体材料であることを不要にしない。スタンチョン部分１２０は、挿入端１０６の外径付近から長手中央軸１１８に向かって延び、フランジ部材１１４を主孔１１２の上に懸架する。図１は３つのスタンチョン部分１２０を備える例示的なシステムを示しているが、他の場合には、（例えばフランジ部材１１４の両側に配置された）わずか２つのスタンチョン部分１２０を使用し得るし、或いは３つよりも多くの（例えば４つ以上の）スタンチョン部分１２０を使用し得る。
【００１９】
フランジ部材１１４及びスタンチョン部分１２０は、主孔１１２から外向きに突出する。その上、一部の例示的なシステムでは、図示のように、フランジ部材１１４と主孔１１２を定める重合体材料との間に定められる内部容積１２２があるよう、主孔１１２は水溜まり状の領域内に形成される。しかしながら、内部容積１２２は、封止された内部容積であるよりもむしろ、スタンチョン部分１２０間に定められる開口を経由して大気圧に通気される。具体的には、例示的なシステムでは、スタンチョン部分１２０によって、３つの通気開口１２４Ａ，１２４Ｂ，１２４Ｃが定められる。システム１００の使用の特定部分の間、フランジ部材１１４は、主孔１１２に向かって潰れ得る。一部の場合には、フランジ部材１１４の底側は、主孔１１２を形成する重合体材料に当接し得る。主孔１１２に向かうフランジ部材１１４の潰れによって移動させられる空気の少なくとも一部が、通気開口１２４を通じて内部容積１２２から逃げ出し得る。同様に、フランジ部材１１４が主孔１１２から離れる方向に引っ張られるときに逆流する空気も、通気開口１２４を通じて流れる。比較すると、例えば、主孔１１２内へのペニスの挿入によって、主通路から移動させられる空気は、主通路に沿って移動し、通気端の蓋１１０又は蓋付近で外側カバー１０４で通気する。同様に、例えば、主通路からのペニスの引抜き中に、主通路内に逆流する空気も、蓋１１０又は蓋付近で外側カバー１０４を通じて、次に、主通路に沿って移動する。
【００２０】
図２は、実質的に図１の線２−２に沿って取られた、図１のシステム１００の断面図を示している。具体的には、図２は、重合体スリーブ１０２及び外側カバー１０４の一部を示している。外側カバー１０４は、内部容積２００と、長手中央軸１１８とを定める。重合体スリーブ１０２は、内部容積２００内に部分的に配置され、図示の例示的なシステムにおいて、挿入端１０６は、少なくとも部分的に外側カバー１０４の内部容積２００の外側に存する。重合体スリーブ１０２は、細長い本体２０２と、挿入端１０６の反対側の通気端２０４とを定める。重合体スリーブ１０２は、細長い本体２０２０と、挿入端１０６の反対側の通気端２０４とを定める。一部の例示的な実施態様において、全長Ｌは、直径Ｄ１の少なくとも２倍であるが、他の割合を等しく使用し得る。図２を見ると、フランジ部材１１４及びスタンチョン部分１２０と共に、初期通路１１６が示されている。その上、水溜まり状の構造２０６が見え、水溜まり状の構造２０６内には、内部容積１２２及び通気開口１２４と共に、主孔１１２が形成されている。
【００２１】
図２は、断面図において、主通路２０８を更に示している。主通路２０８は、挿入端１０６にある主孔１１２から通気端２０４にある通気孔２１０まで亘る。一部の例示的なシステムにおいて、主通路２０８は、主孔１１２から通気孔２１０まで一定の内径を定める。しかしながら、他の場合には、図示のように、主通路２０８は、刺激特性を強化すると考えられる１つ又はそれよりも多くの機能を有する。図２の実施例において、主通路２０８は、増大させられた内径の環状領域２１２を定める。「旋条」又は様々のタブ若しくは突起のような内向き突起機能を含む他の機能が可能である。しかしながら、環状領域２１２によって作り出される内部容積は、主通路２０８に沿って通気することに留意のこと。即ち、ペニスの挿入中、環状領域２１２から移動させられる空気は、主通路２０８に沿って移動し、通気孔２１０から出る。同様に、ペニスの引抜き中、環状領域２１２に引き戻される空気は、通気口２１０に入り、主通路２０８に沿って移動する。
【００２２】
一部の場合において、重合体スリーブ１０２は、その外径上に環状溝２１４を定め得る。同様に、重合体スリーブ１０２が内部容積２００内に入れ子状に嵌められるときに、環状リング２１６が環状溝２１４内に結合し得るよう、外側カバー１０４は、対応する環状リング２１６を定め得る。リング／溝の組み合わせは、使用中に重合体スリーブ１０２を所定の場所に保持するのを助け得る。具体的には、リング／溝の組み合わせは、装置１００の使用中に重合体スリーブ１０２の往復移動を減少させ得る。
【００２３】
図１及び２に示すような１つの例示的なシステムにおいて、直径Ｄ１は、約３インチ、直径Ｄ２は、約２．２５インチ、長さＬは、約９インチであり得る。フランジ部材１１４の厚さＴは、約０．５インチであり得るが、硬化重合体材料のデュロメータ定格がより低いならば、より厚いフランジ部材を成形し得る。同様に、硬化重合体材料のデュロメータ定格がより高いならば、より薄いフランジ部材を成形し得る。フランジ部材１１４及びスタンチョン部分１２０が連続的な構造である限り、スタンチョン部分１２０も、その最も薄い部分で、約０．５インチの厚さを同様に有し得る。フランジ部材１１４の例示的な厚さから、初期通路１１６の厚さが約０．５インチであり得ることになる。初期通路１１６の直径Ｄ３は、約０．５インチであり得る。同様に、主孔１１２での主通路２０８の直径は、約０．５インチであり得る。しかしながら、他の場合においては、初期通路１１６の直径Ｄ３は、主孔１１２での主通路２０８の直径よりも大きくても小さくてもよい。最後に、水溜まり状の構造２０６の底部内に定められる、フランジ部材１１４が主孔１１２の上に懸架される高さＨは、一部の実施態様において、約１インチであり得る。しかしながら、直ぐ下で議論するように、追加的なフランジ部材も存在し得る。
【００２４】
図３は、他の例示的な実施態様に従ったシステム１００の部分切欠き斜視図を示している。具体的には、システム１００は、プラスチックのような剛性材料の外側カバー１０４の内部容積内に少なくとも部分的に配置される重合体スリーブ１０２を含む。図３を見ると、重合体スリーブ１０２の残余は外側カバー１０４内に存するので、重合体スリーブ１０２の挿入端１０６が見える。システム１００は、挿入端１０６１０６の上に入れ子状に嵌り且つ外側カバー１０４に結合するカバー又は蓋（特に図示せず）を更に含み得る。同様に、システム１００は、挿入端１０６の反対側で外側カバー１０４に結合する第２のキャップ又は蓋（再び特に図示せず）を更に含み得る。
【００２５】
図３の例示的なシステムの挿入端１０６は、主通路に通じる主孔を含むが、主孔も主通路も図３では見えない。主孔の上に懸架されているのは、初期通路１１６を定める第１のフランジ部材１１４であり、主孔の上に同様に懸架されているのは、第２の初期通路３１６を定める第２のフランジ部材３１４である。例示的なシステムにおいて、通路１１６は、通路３１６と同軸であり、通路３１６は、主通路と同軸である。その上、例示的なシステムにおいて、通路１１６、通路３１６、及び主通路は、重合体スリーブ１０２の長手中心軸１１８と同軸である。しかしながら、他のシステムでは、通路１１６及び３１６は互いに偏り得るし、主通路からも偏り得る。
【００２６】
依然として図３を参照すると、例示的なシステムにおいて、フランジ部材１１４は、３つのスタンチョン部分１２０Ａ，１２０Ｂ，１２０Ｃによって支持されているが、図３を見ると、その下にあるフランジ部材３１４へのより良い可視性をもたらすために、スタンチョン部分１２０Ｂが取り外されている。例示的なシステムにおいて、フランジ部材３１４は、３つのスタンチョン部分３２０によって支持されるが、図３では、スタンチョン部分３２０Ａ及び３２０Ｂのみが見える。フランジ部材１１４及びスタンチョン部分１２０と同様に、重合体材料の単一成形から（フランジ部材及びスタンチョン部分を含む）重合体スリーブ１０２全体を作り出し得る。よって、議論の容易性のためにフランジ部材３１４及びスタンチョン部分３２０を別個の名称で呼ぶが、別個に命名する因習は、別個の名称の構成部品が実際には単一の連続的な片の重合体材料であることを不要にしない。スタンチョン部分３２０は、フランジ部材３１４を主孔の上に懸架するよう、（挿入端１０６の直径付近の）水溜まり状の構造２０６から長手中心軸１１８に向かって延びる。図３の例示的なシステムにおいて、スタンチョン部分３２０は、スタンチョン部分１２０と径方向に整列させられる。しかしながら、径方向の整列は必要とされず、他の場合において、スタンチョン部分３２０が延びる径方向は異なり得るし、一部の場合には、スタンチョン部分１２０が延びる径方向と重なり合わない（オーバーラップ）しない。
【００２７】
フランジ部材１１４と同様に、フランジ部材２１４も、使用の特定の部分の間に主孔に向かって潰れ或いは平行移動し得るし、使用の他の部分の間に主孔から離れる方向に引っ張られ得る。３つのスタンチョン部分３２０が図３を参照して議論されているが、他の場合には、（例えばフランジ部材３１４の両側に配置された）わずか２つのスタンチョン部分を使用し得るし、或いは３つよりも多くの（例えば４つよりも多くの）スタンチョン部分を使用し得る。その上、スタンチョン部分３２０の数は、スタンチョン部分１２０の数と同じである必要はない。例えば、動作可能なシステムは、３つのスタンチョン部分１２０及び２つのスタンチョン部分３２０を含み、或いはその逆も同様であり得る。
【００２８】
フランジ部材３１４及びスタンチョン部分３２０は、主孔１１２から外向きに突出し得るし、或いは図示のように、フランジ部材３１４及びスタンチョン部分３２０の上面は、ある平面を定め且つある平面内に存し得る。その上、フランジ部材３１４及びスタンチョン部分３２０によって、フランジ部材１１４と水溜まり状の構造２０６との間に定められる内部容積１２２を分岐し得る。スタンチョン部分３２０によって定められる３つの通気開口（図３では通気開口３２４Ａ，３２４Ｂのみが見える）を通じて、水溜まり状の構造２０６とフランジ部材３１４との間に定められる内部容積１２２の部分を大気圧に通気させ得る。システム１００の使用の特定の部分の間、フランジ部材３１４は、主孔に向かって潰れ得る。一部の場合、フランジ部材３１４の底部側は、水溜まり状の構造２０６と当接し得る。フランジ部材３１４の潰れによって主孔に向かって移動させられる空気の少なくとも一部は、通気開口３２４（及び１２４）を通じて内部容積１２２から逃げ出し得る。同様に、フランジ部材３１４が主孔から引き離されるときに逆流する空気は、通気開口３２４（及び１２４）を通じて流れる。
【００２９】
図４は、実質的に図３の線４−４に沿って取られた図３のシステム１００の断面図を示している。具体的には、図４は、外側カバー１０４と、重合体スリーブ１０２とを示している。前述と同様に、外側カバー１０４は、内部容積２００を定め、長手中心軸１１８も定める。重合体スリーブ１０２は、内部容積２００内に部分的に配置され、図示の例示的なシステムにおいて、挿入端１０６は、少なくとも部分的に外側カバー１０４の内部容積２００の外側に存する。重合体スリーブ１０２は、細長い本体２０２と、挿入端１０６の反対側の通気端２０４とを定める。一部の例示的なシステムにおいて、全長Ｌは、直径Ｄ１の少なくとも２倍であるが、他の割合も等しく使用し得る。図４を見ると、フランジ部材１１４及びスタンチョン部分１２０と共に、初期通路１１６が示されている。その上、水溜まり状の構造２０６が見え、水溜まり状の構造２０６内には、内部容積１２２及び通気開口１２４と共に、主孔１１２が形成されている。
【００３０】
図４は、フランジ部材３１４及びスタンチョン部分３２０と共に、通路３１６を更に示している。フランジ部材３１４は、内部容積１２２内で第１のフランジ部材１１４と主孔１１２との間に配置されている。その上、フランジ部材３１４及びスタンチョン部分３２０は、内部容積１２２を（フランジ部材１１４とフランジ部材３１４との間の）前部容積４００と（フランジ部材３１４と主孔１１２との間の）後部容積４０２とに分岐させる。同様に図４で見えるのは、通気開口３２４である。重合体スリーブ１０２の残余の部分（例えば主通路２０８）は、図２を参照して議論したものと同じであり得る。よって、ここでは、その議論を繰り返さない。
【００３１】
図４の例示的なシステムにおいて、通気開口１２４は、前部容積４００を大気圧に通気させる。同様に、通気開口３２４は、後部容積４０２を大気圧に通気させる。図４の場合、後部容積４０２は、前部容積４００を通じて通気するが、他の場合には、重合体スリーブ１０２の外側の地点への別個の流路を使用し得る。
【００３２】
図３及び４に示すような１つの例示的なシステムでは、図２を関して議論した様々の直径、厚さ、及び長さを同様に適用し得る。フランジ部材３１４の厚さＴは、０．５インチであり得るが、硬化重合体材料のデュロメータ定格がより低いならば、より厚いフランジ部材を成形し得る。同様に、硬化重合体材料のデュロメータ定格がより高いならば、より薄いフランジ部材を成形し得る。フランジ部材３１４及びスタンチョン部分３２０が連続的な構造である限り、スタンチョン部分３２０は、その最も薄い部分で、約０．５インチの厚さを同様に有し得る。フランジ部材１１４及びフランジ部材３１４は、同じ厚さを有するよう議論されているが、他の場合には、フランジ部材の間と同様に、その厚さは異なり得る。フランジ部材３１４の例示的な厚さから、第２の初期通路３１６の長さは、約０．５インチであり得ることになる。通路３１６の直径Ｄ４は、約０．５インチであり得るが、他の場合には、通路の直径Ｄ４は、互いにより大きいか或いはより小さくあり得るし、主孔１１２での主通路２０８の直径よりも大きいか或いは小さくあり得る。（フランジ部材１１４の下面からフランジ部材３１４の上側まで測定される）フランジ部材１１４がフランジ部材３１４の上に懸架される高さＨ１は、一部の実施態様において、約０．５インチであり得る。その上、（主孔１１２で又は主孔１１２付近でフランジ部材３１４の下面から水溜まり状の構造の上側まで測定される）フランジ部材３１４が水溜まり状の構造２０６の底部の上に懸架される高さＨ２は、一部の実施態様において、約０．５インチであり得る。
【００３３】
次に、本明細書は重合体スリーブを作り出す例示的な方法に目を向ける。図５は、少なくとも幾つかの実施態様に従った型システム５０の斜視図を示している。具体的には、図５は、外側型組立体５０２を示しており、外側型組立体５０２は、第１の型部材５０４と、第２の型部材５０６とを含む。各型部材５０４，５０６は、内表面を定めるが、図５を見ると、型部材５０６の内表面５０８だけが見える。型部材５０６の内表面５０８は、環状溝２１４から通気端２０４まで亘る重合体スリーブ１０２の外表面の鋳型像(negative  image)の半体を形成している。同様に、型部材５０４の内表面は、環状溝２１４から通気端２０４まで亘る重合体スリーブ１０２の外表面の鋳型像の他の半体を形成している。
【００３４】
型システム５００は、外側型組立体５０２によって定められる内表面と動作関係に配置される下方型構成部品５１０を更に含む。下方型構成部品は、重合体スリーブ１０２の挿入端１０６の外側部分の鋳型像を構造的に定める。図６を参照して、例示的な下方型構成部品５１０をより詳細に議論する。差し当たり、下方型構成部品５１０は、フランジ部材１１４及びスタンチョン１２０の少なくとも一部の鋳型像を定めると言えば十分である。一部の例示的なシステムでは、アルミニウムのような金属材料から、様々の型構成部品、下方型構成部品、及び（以下に更に議論する）ディスク部材を切削し得る。しかしながら、他の材料（例えば、高密度プラスチック）も使用し得る。下方型構成部品５１０の上に積み重ねられているのは、ディスク部材５１２である。単一の内部容積１２２のみを有するシステムでは、ディスク部材５１２は、内部容積（例えば、図１及び２）の鋳型像を定める。別の言い方をすれば、ディスク部材５１２がある容積内に存することで、射出成形中に重合体材料がその容積を充填し得ず且つ／或いは占め得ず、よって、射出及び硬化プロセス中に、ディスク部材５１２の存在に基づき、単一の内部容積が作り出される。単一の内部容積のみを有するシステムにおいて、ディスク部材５１２は、ロッド部材５１４に結合する。ロッド部材５１４の外表面が、重合体スリーブを通じる主通路の内表面の鋳型像を定める。
【００３５】
前部容積及び後部容積の両方を定めるシステム（例えば、図３及び４）において、ディスク部材５１２の上に積み重ねられているのは、他のディスク部材５１６である。ディスク部材５１６は、後部容積の鋳型像を定める。別の言い方をすれば、射出成形プロセス中、ディスク部材５１６はある容積内に存することで、重合体材料はその容積を充填し且つ／或いは占め得ず、よって、射出及び硬化プロセス中に、ディスク部材５１６の存在に基づき、後部容積を作り出す。前部容積及び後部容積の両方を有するシステムにおいて、ロッド部材５１４はディスク部材５１６に結合し、ロッド部材５１４は再び射出成形中に主通路を造り出す。
【００３６】
成形プロセスは、様々のディスクを下方型構成部品内に積み重ねること、及びロッド部材５１４を最上方ディスク部材５１２又は５１６に結合することを含み得る。外側型組立体５０２は、様々の構成部品の周りに閉じられ、何らかの様式において所定の場所に保持される。液体形態の重合体材料が、噴射孔５１８を通じた射出のように、噴射ポートを通じて内表面５０８によって定められる容積内に射出される。液体形態の重合体材料は内表面５０８によって定められる容積を満たし、空気を移動させ、次に、重合体材料の硬化が許容される。硬化させられるや否や、外側型組立体５０２は再び開かれ、ロッド部材５１４が主通路から引き抜かれ、ディスク部材５１２がその夫々の容積（例えば、前部容積１２２又は前部容積４００）から取り除かれ、ディスク部材５１６が使用されるならば、ディスク部材５１６が後部容積４００から取り除かれる。ロッド部材及びディスク部材（複数のディスク部材）の除去前又は除去後に、重合体スリーブ１０２を下方型構成部品５１０から取り除き得る。例えば、噴射孔の内側で硬化した重合体材料、及び外側型組立体の界面によって形成されるあらゆる型継目又は印を取り除くために、重合体スリーブ１０２のトリミングを行い得る。一部の場合には、（例えばタルカムパウダーの塗布によって）表面張力を減少させるために、作り出した重合体スリーブ１０２を化合物で処理し得る。次に、本明細書は、例示的な下方型構成部品及び例示的なディスク部材のより詳細な記載に目を向ける。
【００３７】
図６は、例示的なシステムに従った下方型構成部品の斜視図を示しており、そこでは、図１及び３に示したものと類似する重合体スリーブの挿入端１０６を作り出すために、下方型構成部品を使用し得る。具体的には、下方型構成部品５１０は、外表面６００と、下方型構成部品５１０の内表面に定められる型表面６０２とを定める。図６の例示的な下方型構成部品５１０において、型表面６０２は、３つの流路６０４Ａ，６０４Ｂ，６０４Ｃを定める。流路６０４Ａは、下方型構成部品５１０の最大内径から中心領域６０８まで延びている。中心領域６０８内に定められているのは、突起又はビュート６１０であり、ビュート６１０を長手中心軸６１２に沿って型表面６０２内に中心化させ得る。
【００３８】
下方型構成部品５１０の型表面６０２は、重合体スリーブ１０２の挿入端１０６の最外側部分の鋳型像を定める。例えば、流路６０４は、スタンチョン部分１２０の鋳型像である。中心領域６０８は、フランジ部材１１４の鋳型像である。ビュート６１０は、初期通路１１６の少なくとも一部の鋳型像である。別の言い方をすれば、射出成形プロセス中、液体形態の重合体材料は、流路６０４及び中心領域６０８内に押し込まれる。重合体材料の硬化後、重合体スリーブを下方型組立体５１０から取り除き、それによって、重合体スリーブ１０２の挿入端１０６の外表面を形成し得る。
【００３９】
依然として図６を参照すると、第１のディスク部材の議論の先駆として、幾つかの追加的な機能を議論する。具体的には、一部の場合には、下方型構成部品５１０と第１のディスク部材との特別な回転的な整列が使用され、よって、下方型構成部品５１０は、その整列プロセスを補助する１つ又はそれよりも多くの機能を有し得る。例えば、図６の下方型構成部品５１０は、ビュート６１０内に定められる整列機能６１４を有する。例示的な整列機能６１４は、三角形の断面を定める孔であるが、他の断面形状（例えば、正方形、四角形、六角形）を使用し得る。（以下に更に議論する）第１のディスク部材の対応する機能が、例示的な整列機能内に入れ子状に嵌る形状を有し、それによって、適切な回転的な整列を保証する。他の例示的な場合において、下方型構成部品５１０は、図示の肩領域６１８のような任意の便利な場所に、窪み機能６１６を定め得る。図示のような窪み機能は、下方型構成部品５１０の材料内への凹面の窪み（えくぼ）又はディボットであるが、凸面機能も同様に想起される。第１のディスク部材は、対応する機能（例えば、窪み機能６１６が凹面であるならば凸面機能、或いは窪み機能６１６が凸面であるならば凹面機能）を有し得る。
【００４０】
最後に、図６の例示的な下方型構成部品５１０は一連の肩領域を定める。窪み機能６１６に関して肩領域６１８を議論したが、追加的な肩領域６２０，６２２も存在する。肩領域は、部分的には、流路６０４の創成によって形成される。肩領域６１８，６２０，６２２は、部分的には、隅部６２４のような隅領域を形成するよう下方型構成部品５１０の一部を切削し或いは他の方法で除去することによっても作り出され得る。しかしながら、他の場合、下方型構成部品は、波線６２６によって例示するように、中心領域６０８と下方型構成部品５１０の内径との間で、より滑らかな可変方領域を定め得る。次に、本明細書は、第１のディスク部材に目を向ける。
【００４１】
図７は、ディスク部材５１２の上方部分の斜視図を示している。具体的には、ディスク部材５１２は、下方型構成部品５１０によって定められる型表面６０２の一部内に入れ子状に嵌り且つ当接するよう構成される。図７を見ると、ディスク部材５１２は、ディスク部材５１２の下方表面の上に３つの流路７００Ａ，７００Ｂ，７００Ｃを定める（しかしながら、流路７００Ｂ，７００Ｃのみが図７中で見える）。ディスク部材５１２が下方型構成部品５１０と当接構成にあるとき、流路７００は、下方型構成部品５１０の流路６０４と整列させられ、流路は中心領域６０８から下方型構成部品５１０の内径への夫々の通路を定める。ディスク部材５１２の上方部分の上に定められる追加的な機能があるが、下方型構成部品５１０と当接し或いは相互作用する機能を議論した後に、それらの追加的な機能の議論を提示する。
【００４２】
図８は、ディスク部材５１２の下方部分の斜視図を示している。図８を見ると、３つの流路７００Ａ，７００Ｂ，７００Ｃの全てが見える。その上、ディスク部材５１２は、下方型構成部品５１０の中心領域６０８に対応する中心領域８０８を定める（即ち、中心領域８０８及び中心領域６０８は、同じ内径を有する）。同様に中心領域８００で定められるのは、突起又はビュート８１０であり、ビュート８１０を長手中心軸８１２に沿って中心化し得る。更に、ビュート８１０は、三角形機能として例示的に示される整列機能８１４を定める。同様に図８中に見えるのは、ディスク部材５１２からの突起として例示的に示される窪み機能８１６の形態の代替的な整列機能である。
【００４３】
図７及び８を同時に参照すると、ディスク部材５１２が下方型構成部品５１０（図７及び８には図示せず）と当接構成にあるとき、中心軸８１２は、下方型構成部品５１０の中心軸６１２と同軸である。更に、第１のディスク部材５１２の中心領域８０８は、下方型構成部品の中心領域６０８と整列する。よって、中心領域は、フランジ部材１１４の鋳型像を定める。その上、ディスク部材５１２が下方型構成部品５１０との当接構成にあるとき、流路７００は下方型構成部品５１０の流路６０４と整列させられ、流路は流新領域８００／６０８から下方型構成部品５１０の内径への夫々の経路を定める。別の言い方をすれば、流路はスタンチョン部分１２０の鋳型像を定める。一層更に、当接構成において、ディスク部材５１２の例示的な整列機能６１４は、下方型構成部品５１０のビュート６１０内に定められる整列機能６１４内に入れ子状に嵌り、よって、ディスク部材５１２と下方型構成部品５１０との間の適切な回転的な整列を保証する。その上、下方型構成部品５１０とディスク部材５１２との当接構成において、ビュート６１０／８１０は整列し且つ当接して、初期通路１１６の鋳型像を定める。射出成形プロセス中、液体形態の重合体材料は、流路及び中心領域内に押し込まれる。重合体材料の硬化後、重合体スリーブを下方型構成部品５１０から取り除き、ディスク部材５１２をフランジ部材１１４の下から取り除き得る。それによって、重合体スリーブ１０２のフランジ部材１１４及びスタンチョン部分１２０が形成される。
【００４４】
図７を再び参照して、第２のディスク部材５１６の議論の先駆として、幾つかの追加的な機能を議論する。具体的には、ディスク部材５１２は、上方部分の上に中心領域７０８を定める。中心領域７０８内に同様に定められているのは、突起又はビュート７１０である。ビュート７１０を長手中心軸８１２に沿って中心化させ得る。更に、ビュート７１０は、三角形機能として例示的に示す整列機能７１４を定める。（以下に更に議論する）第２のディスク部材５１６の対応する機能が、その例示的な整列機能内に入れ子状に嵌る形状を有し、それによって、適切な回転的な整列を保証する。ビュートと関連する「雄」整列機能及び「雌」整列機能の場所を均等に逆転させ得る。その上、下方型構成部品５１０及び第１のディスク部材５１２の下面に関して示したような窪み機能のような、他の整列機能を使用し得るが、図面を更に複雑にしないように、様々の窪み機能を第１のディスク部材５１２（即ち、図７の図面）上に示していない。図７のディスク部材５１２の上方部分は、流路７０２Ａ，７０２Ｂ，７０３Ｃを更に示しており、それらの流路は中心領域７０８から径方向に外向きに延びている。図示の実施例において、流路７０２は流路７００と整列しているが、そのような整列は厳密に要求されない。
【００４５】
最後に、図７の例示的な下方ディスク部材５１２は、一連の下方肩領域７１８，７２０，７２２を定め、それらの肩領域は、ディスク部材５１２が積み重ねられて下方型構成部品５１０と当接関係になるとき、下方型構成部品５１０の夫々の肩領域６１８，６２０，６２２に当接する。しかしながら、他の場合において、下方型構成部品５１０は、より滑らかな可変肩領域を定め、よって、肩領域は（波線７２６によって示すように）より滑らかに可変である。次に、本明細書は第２のディスク部材に目を向ける。
【００４６】
図９は、第２のディスク部材５１６の上方部分の斜視図を示している。具体的には、ディスク部材５１６は、下方型構成部品内に積み重ねられ、第１のディスク部材５１２の一部と当接する。図９を見ると、第２のディスク部材５１６は、下面に３つの流路９００Ａ，９００Ｂ，９００Ｃを定める（しかしながら、流路９００Ｂ，９００Ｃのみが図９中に見える）。第２のディスク部材５１６が第１のディスク部材５１２と当接構成にあるとき、流路９００は第１のディスク部材５１２の上面にある流路７０２と整列し、流路は中心領域７０８から径方向に下方型構成部品５１０の内径に向かう夫々の通路を定める。ディスク部材５１６の上方部分に定められる追加的な機能があるが、それらの追加的な機能の議論を第１のディスク部材５１２と当接し或いは相互作用する機能の議論の後に提示する。
【００４７】
図１０は、ディスク部材５１６の底部側の斜視図を示している。図１０を見ると、３つの流路９００Ａ，９００Ｂ，９００Ｃの全てが見える。その上、ディスク部材５１６は、第１のディスク部材５１２の中心領域７０８に対応する中心領域１００８を定める（即ち、中心領域１００８及び中心領域７０８は、同じ内径を有する）。中心領域１００８で同様に定められるのは、突起又はビュート１０１０であり、ビュート１０１０を長手中心軸１０１２に沿って中心化させ得る。ビュート１０１０は、三角形機能として例示的に示す整列機能１０１４を更に定める。第２のディスク部材５１６と第２のディスク部材５１２とを回転的に整列させるために、（窪み機能のような）他の整列機能を使用し得る。しかしながら、図面を更に複雑にしないように、それらの窪み機能を図９及び１０に示していない。
【００４８】
図９及び１０を同時に参照すると、第２のディスク部材５１６が第１のディスク部材５１２と当接構成にあるとき、長手中心軸１０１２は、第１のディスク部材５１２の長手中心軸８１２と同軸である。更に、第２のディスク部材５１６の中心領域１００８は、第１のディスク部材５１２の中心領域７０８と整列する。よって、中心領域は、フランジ部材３１４の鋳型像を定める。その上、第２のディスク部材５１６が第１のディスク部材５１２と当接構成にあるとき、流路９００は、第２のディスク部材５１６の流路７０２と整列させられ、流路は中心領域１００８／７０８から下方型構成部品５１０の内径に向かう夫々の通路を定める。別の言い方をすれば、流路は、スタンチョン部分３２０の鋳型像を定める。一層更に、当接構成において、第２のディスク部材５１６の例示的な整列構成１０１４は、第１のディスク部材５１２のビュート７１０内に定められる整列機能７１４内に入れ子状に嵌り、それによって、第１のディスク部材５１２と第２のディスク部材５１６との間の適切な回転的な整列を保証する。ビュートと関連する「雄」整列機能及び「雌」整列機能の場所を均等に逆転させ得る。その上、第１のディスク部材５１２と第２のディスク部材５１６の当接構成において、ビュート１０１０／７１０は整列し且つ当接して、第２の初期通路３１６の鋳型象を定める。射出成形プロセス中、液体形態の重合体材料は、流路及び中心領域内に押し込まれる。重合体材料の硬化後、重合体スリーブを下方型構成部品５１０の内径から取り除き、第１のディスク部材５１２をフランジ部材１１４の下から取り除き、第２のディスク部材５１６をフランジ部材３１４の下から取り除き、それによって、重合体スリーブ１０２のフランジ部材１１４，３１４及びスタンチョン部分１２０，３２０が形成される。
【００４９】
図９を再び参照して、幾つかの追加的な機能を議論する。第２のディスク部材５１６の上方部分は、突起又はビュート１０１６を定め、ビュート１０１６を長手中心軸８１２に沿って中心化させ得る。様々の構成部品を下方型構成部品５１２内に積み重ねる間、第２のディスク部材５１６が所定の場所になるや否や、ロッド部材５１４がビュート１０１６に結合し得る。よって、ビュート１０１６は、細長い本体２０２内への主孔１１２の鋳型像を形成する。
【００５０】
図１１は、当接関係において一体的に積み重ねられる重合体スリーブ１０２の挿入端を形成する様々の構成部品（即ち、型システム１１００）の斜視図を示している。具体的には、下方型構成部品５１０を示している。下方型構成部品５１０内に積み重ねられているのは、第１のディスク部材５１２である。第１のディスク部材５１２の上に積み重ねられているのは、第２のディスク部材５１６である。例示的なシステムのために、様々の流路の全てがどのように整列するかに留意のこと。上記で議論したように、型システム内の流路は、様々のフランジ部材を支持するスタンチョンを形成し、中心領域（それらのいずれも図１１で見えない）はフランジ部材を形成する。
【００５１】
図１２は、実質的に図１１の線１２−１２に沿って取られた型システム１１００の断面図を示している。具体的には、図１２に示されているのは、中心領域６０８と、ビュート６１０と、流路６０４とを含む、下方型構成部品５１０である。更に、第１のディスク部材５１２が、下方型構成部品５１０と積み重ねられた当接関係において示されている。例えば、ビュート８１０は、ビュート６１０と当接して示されており、第１のディスク部材５１２の肩領域１２００（その肩領域１２００は肩領域７１８，７２０，７２２のいずれかであり得る）が下方型構成部品の肩領域１２０２（その肩領域１２０２は肩領域６１８，６２０，６２２のいずれかであり得る）と当接して示されている。その上、流路７００と共に、中心領域８０８が示されている。
【００５２】
図１２は、第１のディスク部材５１２と積み重ねられた当接関係にある第２のディスク部材５１６を更に示している。例えば、ビュート７１０は、ビュート１０１０と当接して示されている。その上、流路７０２，９００と共に、中心領域７０８，１００８が示されている。最後に、ビュート１０１６が示されている。積み重ね構成において、各個々の構成部品の中心軸は、波線１２０４によって示すように同軸である。
【００５３】
図１に示す挿入端１０６は一例であるに過ぎない。この明細書を判読することに基づき射出成形プロセスを使用してそのような挿入端をどのように作り出すかを今や理解するので、当業者は、様々の実施態様の範囲及び精神を逸脱せずに、挿入端１０６の外向き外観における多くの変形を作製し得るであろう。例えば、図１３は、他のシステムに従った例示的な挿入端１０６の斜視図を示している。その例示的なシステムにおいて、スタンチョン部分１３２０は、挿入端１０６の外周からフランジ部材１１４まで延びるが、この場合、各スタンチョン部分１３２０が外周と交差する場所の基本向き(cardinal  orientation)が、スタンチョン部分１３２０がフランジ部材１１４と交差する基本向きと異なるよう、スタンチョン部分は湾曲し、或いは弓形である。例えば、矢印１３５０が挿入端１０６に対する０度の基本方向(cardinal  direction)を示すならば、スタンチョン部分１３２０Ａがフランジ部材１１４と交わる交差場所１３５２は０度の基本方向にあると考え得るが、スタンチョン部分１３２０Ａが外周と交わる対応場所１３５４を（この場合には図１３の図面から挿入端１０６を見るときに時計回りに）１０〜４５度の間で移動（シフト）させ得る。対応する場所１３５６及び１３５８も同様に１０〜４５度の間で移動させ得る。スタンチョン部分の一部又は全部は、基本方向のシフトを有し得る。
【００５４】
図１３の挿入端１０６の「渦巻き」パターンは、（図１のような）他の場合には存在しない動作特性をもたらす。具体的には、上述のように、孔１１６内にペニスを挿入する間、フランジ部材１１４は、主孔１２に向かって潰れがちである。しかしながら、ペニスの引抜き中、フランジ部材１１４は、主孔１１２から離れる方向に引っ張れるのみならず、（図３に示す）休止位置よりも主孔から更に離れる方向にも引っ張られる。フランジ部材１１４と外周との間のスタンチョン部分の交差場所の基本方向におけるシフトは、ペニスの引抜き中に回転アスペクト(rotational  aspect)をもたらし得る。具体的には、引抜き中、スタンチョン部分１３２０が伸びると、基本向きにおける偏り（オフセット）は、矢印１３６０によって例示するフランジ部材１１４の回転運動を引き起こし得る。回転運動は、フランジ部材が（非伸張）休止向きから離れる方向に伸張させられる期間中（即ち、ペニスの引抜き中）にフランジ部材１１４に対して配置される張力の接線成分によって引き起こされる。スタンチョン部分内の張力が解放されると、張力の接線成分の損失は、フランジ部材１１４がその休止構成に回転して戻ることを可能にし得る（その回転は矢印１３６２によって示している）。
【００５５】
例示的なシステムの幾つかのパラメータ（例えば、重合体材料の弾性、通路を定める孔の直径等）が重合体スリーブ１０２によってもたらされる刺激に影響を及ぼすが、少なくとも１つのフランジ部材を含む幾つかの実施態様は、フェラチオの物理的感触をより良く真似るものと考えられる。
【００５６】
図１４は、ブロック図の形態において、少なくとも一部の実施態様に従った方法を示している。具体的には、方法はブロック１４００で開始し、重合体スリーブの挿入端の鋳型像を構造的に定める下方型構成部品を配置すること（ブロック１４０２）、重合体スリーブの挿入端で大気に通気させられる前部容積の鋳型像を構造的に定める第１のディスク部材を整合関係に積み重ねること（ブロック１４０４）、大気圧に通気させられる後部容積の鋳型像を構造的に定める第２のディスク部材を第１のディスク部材と整合関係に積み重ねること（ブロック１４０６）、その外表面が重合体スリーブを通じる主通路の鋳型像を定めるロッド部材をディスク部材に結合すること（ブロック１４０８）、その内表面が重合体スリーブの外表面の鋳型像を構造的に定める外側型組立体を下方型構成部品、ディスク部材、及びロッド部材の周りに閉じること（ブロック１４１０）、及び液体状態の重合体化合物を外側型組立体内に射出すること（ブロック１４１２）を含む。然る後、方法はブロック１４１４で終了する。方法は同じ型組立体を用いて再び繰り返される可能性が高い。
【００５７】
「１つの実施態様」、「ある実施態様」、「幾つかの実施態様」、「例示的な実施態様」等への言及は、特定の素子又は特徴が本発明の少なくとも１つの実施態様に含まれることを示す。それらの成句は様々の場所に現れるが、それらの成句は必ずしも同じ実施態様を指していない。
【００５８】
上記の議論は本発明の原理及び様々の実施態様の例示であることを意図する。上記の開示が十分い理解されるや否や、数多くの変形及び変更が当業者に明らかになるであろう。例えば、重合体スリーブを使用するために外側カバーは厳格に要求されない。以下の請求項は全てのそのような変形及び変形を含むよう解釈されるべきである。
【符号の説明】
【００５９】
１００      システム
１０２      重合体スリーブ
１０４      外側カバー
１０６      挿入端
１０８      カバー又は蓋
１１０      第２のキャップ又は蓋
１１２      主孔
１１４      第１のフランジ部材
１１６      初期通路
１１８      長手中心軸
１２０      スタンチョン部分
１２０Ａ    スタンチョン部分
１２０Ｂ    スタンチョン部分
１２０Ｃ    スタンチョン部分
１２２      内部容積
１２４      通気開口
１２４Ａ    通気開口
１２４Ｂ    通気開口
１２４Ｃ    通気開口
２００      内部容積
２０２      細長い本体
２０４      通気端
２０８      主通路
２１０      通気孔
２１２      環状領域
２１４      環状溝
３１４      第２のフランジ部材
３１６      第２の初期通路
３２０      スタンチョン部分
３２０Ａ    スタンチョン部分
３２０Ｂ    スタンチョン部分
３２４      通気開口
３２４Ａ    通気開口
３２４Ｂ    通気開口
４００      前部容積
４０２      後部容積
５００      型システム
５０２      外側型組立体
５０４      第１の型部材
５０６      第２の型部材
５０８      内表面
５１０      下方型構成部品
５１２      ディスク部材
５１４      ロッド部材
５１６      他のディスク部材
５１８      噴射孔
６００      外表面
６０２      型表面
６０４      流路
６０４Ａ    流路
６０４Ｂ    流路
６０４Ｃ    流路
６０８      中心領域
６１０      突起又はビュート
６１２      長手中心軸
６１４      整列機能
６１６      窪み機能
６１８      肩領域
６２０      追加的な肩領域
６２２      追加的な肩領域
６２６      波線
７００      流路
７００Ａ    流路
７００Ｂ    流路
７００Ｃ    流路
７０２      流路
７０２Ａ    流路
７０２Ｂ    流路
７０２Ｃ    流路
７０８      中心領域
７１０      突起又はビュート
７１４      整列機能
７１８      肩領域
７２０      肩領域
７２２      肩領域
７２６      波線
８００      中心領域
８０８      中心領域
８１０      突起又はビュート
８１２      長手中心軸
８１４      整列機能
８１６      窪み機能
９００      流路
９００Ａ    流路
９００Ｂ    流路
９００Ｃ    流路
１００８    中心領域
１０１０    突起又はビュート
１０１２    長手中心軸
１０１４    整列機能
１０１６    突起又はビュート
１１００    型システム
１２００    肩領域
１２０２    肩領域
１２０４    波線
１３２０    スタンチョン部分
１３２０Ａ  スタンチョン部分
１３５０    矢印
１３５２    交差場所
１３５４    対応場所
１３５６    対応場所
１３５８    対応場所
１３６２    矢印
１４００    開始
１４０２    ブロック
１４０４    ブロック
１４０６    ブロック
１４０８    ブロック
１４１０    ブロック
１４１２    ブロック
１４１４    終了
【図１】
2014171910.tif 000003
【図２】
2014171910.tif 000004
【図３】
2014171910.tif 000005
【図４】
2014171910.tif 000006
【図５】
2014171910.tif 000007
【図６】
2014171910.tif 000008
【図７】
2014171910.tif 000009
【図８】
2014171910.tif 000010
【図９】
2014171910.tif 000011
【図１０】
2014171910.tif 000012
【図１１】
2014171910.tif 000013
【図１２】
2014171910.tif 000014
【図１３】
2014171910.tif 000015
【図１４】
2014171910.tif 000016